(57)【特許請求の範囲】
【請求項１】
送信集中サブレイヤサブネットワーク接続を自動保護切り換えできるようにするＡＴＭネットワーク要素(ATM NE-1)であって、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、両エンティティ(TCS-W,TCS-P)は、各々、指定のＵＴＯＰＩＡアドレスを経てＡＴＭネットワーク要素(ATM NE-1)内で個々にアドレスすることができ、ＡＴＭネットワーク要素(ATM NE-1)には、機能側送信集中サブレイヤエンティティ(TCS-W)を経て確立された送信集中サブレイヤサブネットワーク接続における欠陥を指示するための物理的レイヤエラーメッセージが送信集中サブレイヤにより与えられ、ＡＴＭネットワーク要素(ATM NE-1)は、物理的レイヤエラーメッセージが受信されない限り、機能側送信集中サブレイヤエンティティ(TCS-W)のＵＴＯＰＩＡアドレス(UA1)を、そして物理的レイヤエラーメッセージが受信された後は、ＡＴＭレイヤにおけるオペレーションを必要とすることなく、保護側送信集中サブレイヤエンティティ(TCS-P)のＵＴＯＰＩＡアドレス(UA2)を他のＡＴＭネットワーク要素（ATM NE-2）へのＡＴＭセルの送信に対して選択するよう構成されたＡＴＭネットワーク要素(ATM NE-1)。
【請求項２】
更に、機能側送信集中サブレイヤエンティティ(TCS-W)と、保護側送信集中サブレイヤエンティティ(TCS-P)との両方を経てＡＴＭネットワーク要素(ATM NE-1)に入るデータを合体するように構成された、請求項１に記載のＡＴＭネットワーク要素(ATM NE-1)。
【請求項３】
前記物理的ラインインターフェイスは、ＳＤＨ及び／又はＰＤＨ物理的ラインインターフェイスである請求項１又は２に記載のＡＴＭネットワーク要素(ATM NE-1)。
【請求項４】
前記物理的ラインインターフェイスは、ＡＴＭの逆マルチプレクシング(IMA)に使用されるＰＤＨ物理的ラインインターフェイスである請求項３に記載のＡＴＭネットワーク要素(ATM NE-1)。
【請求項５】
前記物理的レイヤエラーメッセージは、ＯＡＭ物理的レイヤエラーメッセージ、特にＯＡＭフローＦ３メッセージ、例えば、信号の検出ロス、フレームのロス及び／又はセル輪郭のロスを指示するＰ‐ＲＤＩ及びＰ‐ＡＩＳメッセージである請求項１ないし４のいずれかに記載のＡＴＭネットワーク要素(ATM NE-1)。
【請求項６】
物理的レイヤエラーメッセージが、入来信号（P-AIS, LOCD, LOP）における信号故障（failure）の検知を示すか、又は、リモートエンド（P-RDI）によってレポートされた信号欠陥（defect）の検知を示すことを特徴とする、以上のいずれかの請求項に記載のＡＴＭネットワーク要素（ATM NE-1）。
【請求項７】
送信側集中サブレイヤサブネットワーク接続における故障（failure）が除去されるや否や、ＡＴＭネットワーク要素が、機能側送信集中サブレイヤエンティティ（TCS-W）のUTOPIAアドレス（UA1）を再度選択するように構成されることを特徴とする、以上のいずれかの請求項に記載のＡＴＭネットワーク要素（ATM NE-1）。
【請求項８】
以上のいずれかの請求項に記載の少なくとも２つの相互接続されたＡＴＭネットワーク要素(ATM NE-1)を備えたＡＴＭネットワーク。
【請求項９】
機能側仮想パス接続（W-VP-1）が、２つの隣接するＡＴＭネットワーク要素（ATM NE-1）を、直接、相互接続し、
保護仮想パス接続（P-VP-1）が、１つあるいはそれより多い他のＡＴＭネットワーク要素（ATM NE-1）を介して、２つの隣接するＡＴＭネットワーク要素を相互接続すること、
を特徴とする、請求項８に記載のＡＴＭネットワーク。
【請求項１０】
ポイント対ポイント、リング、又はメッシュの送信集中サブレイヤサブネットワーク接続に対する請求項１ないし５のいずれかに記載のＡＴＭネットワーク要素(ATM NE-1)。
【請求項１１】
無線アクセスネットワークにおける請求項１ないし５のいずれかに記載のＡＴＭネットワーク要素(ATM NE-1)。
【請求項１２】
送信集中サブレイヤのスパンに一致する仮想経路接続、又はこの仮想経路接続によりサポートされる仮想回路接続を保護切り換えするための請求項１ないし５のいずれかに記載のＡＴＭネットワーク要素(ATM NE-1)。
【請求項１３】
ＡＴＭネットワークにおける第１のＡＴＭネットワーク要素(ATM NE-1)と第２のＡＴＭネットワーク要素(ATM NE-2)との間で送信集中サブレイヤサブネットワーク接続を自動保護切り換えする方法であって、前記第１のＡＴＭネットワーク要素(ATM NE-1)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第１のＡＴＭネットワーク要素(ATM NE-1)の前記機能側送信集中サブレイヤエンティティ(TCS-W)及び第１のＡＴＭネットワーク要素(ATM NE-1)の前記保護側送信集中サブレイヤエンティティ(TCS-P)は、異なる送信経路を経て独立した送信集中サブレイヤサブネットワーク接続を行うことができ、各送信集中サブレイヤエンティティ(TCS-W,TCS-P)は、専用のＵＴＯＰＩＡアドレスを経て第１のＡＴＭネットワーク要素(ATM NE-1)内でアドレスすることができ、前記方法は、ソースポイントとして使用される第１のＡＴＭネットワーク要素(ATM NE-1)において、
−  使用される送信集中サブレイヤサブネットワーク接続における欠陥がその与えられた物理的レイヤエラーメッセージにより指示されない限り、
ａ）指定のＵＴＯＰＩＡアドレスにより選択された機能側対応送信集中サブレイヤエンティティ(TCS-W)を経てデータを送信し、そして
−  使用される送信集中サブレイヤサブネットワーク接続における欠陥を物理的レイヤエラーメッセージが指示する場合に、
ｂ）第１のＡＴＭネットワーク要素(ATM NE-1)における送信集中サブレイヤエンティティへ送信されるべきＡＴＭセルをアドレスするのに使用されるＵＴＯＰＩＡアドレスを、ＡＴＭレイヤにおけるオペレーションを必要とすることなく、機能側送信集中サブレイヤエンティティ(TCS-W)に指定されたＵＴＯＰＩＡアドレス(UA1)から、保護側送信集中サブレイヤエンティティ(TCS-P)に指定されたＵＴＯＰＩＡアドレス(UA2)へと切り換え、そして
ｃ）第１のＡＴＭネットワーク要素(ATM NE-1)から、指定のＵＴＯＰＩＡアドレスにより選択された対応する保護側送信集中サブレイヤエンティティ(TCS-P)を経てＡＴＭセルを送信する、
という段階を備えた方法。
【請求項１４】
前記第２のＡＴＭネットワーク要素(ATM NE-2)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第２のＡＴＭネットワーク要素(ATM NE-2)の前記機能側送信集中サブレイヤエンティティ(TCS-W)及び第２のＡＴＭネットワーク要素(ATM NE-2)の前記保護側送信集中サブレイヤエンティティ(TCS-P)は、異なる送信経路を経て前記独立した送信集中サブレイヤサブネットワーク接続を行うことができ、前記方法は、シンクとして使用される前記第２のＡＴＭネットワーク要素(ATM NE-2)において、前記第１のＡＴＭネットワーク要素における送信に、機能側送信集中サブレイヤエンティティ(TCS-W)が使用されるか保護側送信集中サブレイヤエンティティ(TCS-P)が使用されるかに関わりなく、前記第２のＡＴＭネットワーク要素(ATM NE-2)の機能側送信集中サブレイヤエンティティ(TCS-W)及び保護側送信集中サブレイヤエンティティ(TCS-P)を経て受け取った全てのデータを合体する段階を更に備えた、請求項１０に記載の送信集中サブレイヤサブネットワーク接続を自動保護切り換えする方法。
【請求項１５】
前記使用される送信集中サブレイヤサブネットワーク接続における欠陥を指示する物理的レイヤエラーメッセージが、前記第２のＡＴＭネットワーク要素(ATM NE-2)の機能側送信集中サブレイヤエンティティ(TCS-W)により与えられる場合に、前記第１のＡＴＭネットワーク要素(ATM NE-1)に欠陥メッセージを送信する段階を更に備えた、請求項１３又は１４に記載の送信集中サブレイヤサブネットワーク接続を自動保護切り換えする方法。
【請求項１６】
前記送信集中サブレイヤエンティティ(TCS-W,TCS-P)の各々は、専用のＵＴＯＰＩＡアドレスを経て前記第２のＡＴＭネットワーク要素(ATM NE-2)内でアドレス可能であり、
使用された送信集中サブレイヤサブネットワーク接続における故障の場合のＵＴＯＰＩＡアドレスの変更が、前記第２のＡＴＭネットワーク要素(ATM NE-2)でもそのソース機能において実行される、請求項１４又は１５に記載の送信集中サブレイヤサブネットワーク接続を自動保護切り換えする方法。
【請求項１７】
前記切り換えは、欠陥が除去されるや否や逆転される、請求項１３から１６のいずれかに記載の送信集中サブレイヤサブネットワーク接続を自動保護切り換えする方法。
【請求項１８】
欠陥状態により前記保護側送信集中サブネットワーク接続へ切り換わった後、前記機能側送信集中サブネットワーク接続は、欠陥状態が除去されるや否や回復待機状態にセットされる、請求項１３から１７のいずれかに記載の送信集中サブレイヤサブネットワーク接続を自動保護切り換えする方法。
【請求項１９】
前記使用される送信集中サブレイヤサブネットワーク接続における欠陥を指示するＯＡＭ物理的レイヤエラーメッセージが、前記第２のＡＴＭネットワーク要素(ATM NE-2)の機能側送信集中サブレイヤエンティティ(TCS-W)によって与えられる場合に、
−  前記第２のＡＴＭネットワーク要素(ATM NE-2)でも、ソースポイントとしてのその機能において、前記第２のＡＴＭネットワーク要素(ATM NE-2)における送信集中サブレイヤエンティティへ送信されるべきＡＴＭセルをアドレスするのに使用されるＵＴＯＰＩＡアドレスを、前記機能側送信集中サブレイヤエンティティ(TCS-W)に指定されたＵＴＯＰＩＡアドレス(UA1)から、前記保護側送信集中サブレイヤエンティティ(TCS-P)に指定されたＵＴＯＰＩＡアドレス(UA2)へ切り換え、
−  前記第２のＡＴＭネットワーク要素(ATM NE-2)から、指定のＵＴＯＰＩＡアドレスにより選択された対応する保護側送信集中サブレイヤエンティティ(TCS-P)を経て、前記第１のＡＴＭネットワーク要素(ATM NE-1)へＡＴＭセルを送信する、
という付加的な段階を含む、請求項１５に記載の送信集中サブレイヤサブネットワーク接続を自動保護切り換えする方法。
【請求項２０】
前記使用される物理的レイヤエラーメッセージは、経路ＲＤＩ及び経路ＡＩＳのようなフローＦ３  ＯＡＭメッセージ、特に、信号の検出されたロス、フレームのロス、及び／又はセル輪郭のロスを指示するものである、請求項１３から１９のいずれかに記載の送信集中サブレイヤサブネットワーク接続を自動保護切り換えする方法。
【請求項２１】
請求項１３から２０のいずれかに従って、送信集中サブレイヤサブネットワーク接続を自動保護切り換えするための方法であって、
物理的レイヤエラーメッセージが、入来信号（P-AIS, LOCD, LOP）における信号故障（failure）の検知を示すか、又は、リモートエンド（P-RDI）によってレポートされた信号欠陥（defect）の検知を示すことを特徴とする方法。
【請求項２２】
請求項１３から２０のいずれかに従って、送信集中サブレイヤサブネットワーク接続を自動保護切り換えするための方法であって、
機能側仮想パス接続（W-VP-1）が、２つの隣接するＡＴＭネットワーク要素（ATM NE-1）を、直接、相互接続し、
保護側仮想パス接続（P-VP-1）が、１つあるいはそれより多い他のＡＴＭネットワーク要素（ATM NE-1）を介して、前記２つの隣接するＡＴＭネットワーク要素を相互接続する、
ことを特徴とする方法。
【請求項２３】
送信集中サブレイヤサブネットワーク接続を自動保護切り換えできるようにするＡＴＭネットワーク要素(ATM NE-2)であって、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含むようなＡＴＭネットワーク要素(ATM NE-2)において、ＡＴＭレイヤにおけるオペレーションを必要とすることなく、前記機能側送信集中サブレイヤエンティティ(TCS-W)及び前記保護側送信集中サブレイヤエンティティ(TCS-P)の両方を経て前記ＡＴＭネットワーク要素(ATM NE-2)に入るデータを合体するように構成されたＡＴＭネットワーク要素(ATM NE-2)。
【請求項２４】
前記物理的ラインインターフェイスは、ＳＤＨ及び／又はＰＤＨ物理的ラインインターフェイスである、請求項２３に記載のＡＴＭネットワーク要素(ATM NE-2)。
【請求項２５】
前記物理的ラインインターフェイスは、ＡＴＭの逆マルチプレクシング(IMA)に使用されるＰＤＨ物理的ラインインターフェイスである、請求項２４に記載のＡＴＭネットワーク要素(ATM NE-2)。
【請求項２６】
請求項１から５のいずれかに記載の少なくとも１つの相互接続されたＡＴＭネットワーク要素(ATM NE-1)と、請求項２３から２５のいずれかに記載の少なくとも１つの相互接続されたＡＴＭネットワーク要素(ATM NE-2)とを備えた、ＡＴＭネットワーク。
【請求項２７】
機能側仮想パス接続（W-VP-1）が、お互いに隣接する第１のＡＴＭネットワーク要素（ATM NE-1）と第２のＡＴＭネットワーク要素（ATM NE-2）を、直接相互接続し、
保護側仮想パス接続（P-VP-1）が、１つあるいはそれより多い他のＡＴＭネットワーク要素を介して、前記２つの隣接するＡＴＭネットワーク要素（ATM NE-1, ATM NE-2）を相互接続する、
ことを特徴とする請求項２６に記載のＡＴＭネットワーク。
【請求項２８】
ポイント対ポイント、リング、又はメッシュの送信集中サブレイヤサブネットワーク接続に対する請求項２３から２５のいずれかに記載のＡＴＭネットワーク要素(ATM NE-2)。
【請求項２９】
無線アクセスネットワークにおける請求項２３から２５のいずれかに記載のＡＴＭネットワーク要素(ATM NE-2)。
【請求項３０】
送信集中サブレイヤのスパンに一致する仮想経路接続、又はこの仮想経路接続によりサポートされる仮想回路接続を保護切り換えするための請求項２３から２５のいずれかに記載のＡＴＭネットワーク要素(ATM NE-2)。
【請求項３１】
ＡＴＭネットワークにおける第１のＡＴＭネットワーク要素(ATM NE-1)と第２のＡＴＭネットワーク要素(ATM NE-2)との間で送信集中サブレイヤサブネットワーク接続を自動保護切り換えする方法であって、前記第２のＡＴＭネットワーク要素(ATM NE-2)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第２のＡＴＭネットワーク要素(ATM NE-2)の前記機能側送信集中サブレイヤエンティティ(TCS-W)及び第２のＡＴＭネットワーク要素(ATM NE-2)の前記保護側送信集中サブレイヤエンティティ(TCS-P)は、異なる送信経路を経て独立した送信集中サブレイヤサブネットワーク接続を行うことができ、前記方法は、シンクとして使用される前記第２のＡＴＭネットワーク要素(ATM NE-2)において、
ＡＴＭレイヤにおけるオペレーションを必要とすることなく、前記第２のＡＴＭネットワーク要素(ATM NE-2)の機能側送信集中サブレイヤエンティティ(TCS-W)及び保護側送信集中サブレイヤエンティティ(TCS-P)を経て受け取った全てのデータを合体する、
という段階を更に備えた方法。
【請求項３２】
前記使用される送信集中サブレイヤサブネットワーク接続における欠陥を指示する物理的レイヤエラーメッセージが、前記第２のＡＴＭネットワーク要素(ATM NE-2)の機能側送信集中サブレイヤエンティティ(TCS-W)により与えられる場合に、前記第１のＡＴＭネットワーク要素(ATM NE-1)に欠陥メッセージを送信する段階を更に備えた、請求項３１に記載の送信集中サブレイヤサブネットワーク接続を自動保護切り換えする方法。
【請求項３３】
前記使用される物理的レイヤエラーメッセージは、経路ＲＤＩ及び経路ＡＩＳのようなフローＦ３  ＯＡＭメッセージ、特に、信号の検出されたロス、フレームのロス、及び／又はセル輪郭のロスを指示するものである、請求項３２に記載の送信集中サブレイヤサブネットワーク接続を自動保護切り換えする方法。
【発明の詳細な説明】
【０００１】
【発明の属する技術分野】
本発明は、送信集中サブレイヤサブネットワーク接続（ＴＣＳＳＮＣ）を自動保護切り換えできるようにするＡＴＭネットワーク要素に係る。又、本発明は、第１のＡＴＭネットワーク要素と第２のＡＴＭネットワーク要素との間で送信集中サブレイヤサブネットワーク接続を自動保護切り換えする方法にも係る。
【０００２】
【従来の技術】
送信集中サブレイヤサブネットワーク接続は、ＡＴＭネットワークの異なるＡＴＭネットワーク要素の送信集中サブレイヤエンティティ間に確立され、これら送信集中サブレイヤエンティティは、ＡＴＭネットワーク要素の物理的ラインインターフェイスの一部分として物理的送信経路へのアクセスを与える。
同期デジタルネットワーク（ＳＤＨ）をベースとする保護機構がこの分野で良く知られている。これらは、故障に対する迅速な切り換え反応及び短い回復時間を与える。
【０００３】
【発明が解決しようとする課題】
ＳＤＨ及び／又はＰＤＨ送信の使用に基づく保護機構の使用は、ＡＴＭネットワークにおいて一応機能するが、ＡＴＭネットワーク要素に加えて付加的な送信装置を必要とするという欠点がある。
ＡＴＭレイヤの使用に基づくＡＴＭ搬送ネットワークの保護機構に対する提案が、例えば、米国特許第５，８３８，９２４号に見られる。この保護機構は、ワークルート、保護ルート及びＶＰＧブリッジより成る仮想経路グループ搬送アーキテクチャーを使用すると共に、ルートの各端にセレクタ機能を使用する。欠陥形式の指示は、新たなセグメントレベルＯＡＭセルによって与えられねばならない。ワークルートに指定されたＶＰＧにおいて欠陥が検出された場合には、受信ノードが受信のために保護ルートに切り換わる。
しかしながら、ＡＴＭレイヤの使用に基づく保護機構は、ＳＤＨ搬送ネットワークに比して、欠陥回復時間に関して性能を生み出すことができない。
【０００４】
【課題を解決するための手段】
本発明の目的は、ＡＴＭネットワークで機能するのに適し且つ現在送信ネットワークの切り換え要求（約５０ｍｓ）に合致することのできる簡単な保護機構を提供することである。
この目的は、送信集中サブレイヤサブネットワーク接続（ＴＣＳＳＮＣ）を自動保護切り換えできるようにするＡＴＭネットワーク要素であって、少なくとも１つの機能側送信集中サブレイヤエンティティを第１の物理的ラインインターフェイスの一部分として含むと共に、少なくとも１つの保護側送信集中サブレイヤエンティティを第２の物理的ラインインターフェイスの一部分として含み、両エンティティは、各々、指定のＵＴＯＰＩＡアドレスを経てＡＴＭネットワーク要素内で個々にアドレスすることができ、ＡＴＭネットワーク要素には、機能側送信集中サブレイヤエンティティを経て確立された送信集中サブレイヤサブネットワーク接続における欠陥を指示するための物理的レイヤエラーメッセージが送信集中サブレイヤにより与えられ、ＡＴＭネットワーク要素は、物理的レイヤエラーメッセージが受信されない限り、機能側送信集中サブレイヤエンティティのＵＴＯＰＩＡアドレスを、そして物理的レイヤエラーメッセージが受信された後は、保護側送信集中サブレイヤエンティティのＵＴＯＰＩＡアドレスをＡＴＭセルの送信に対して選択するよう構成され、そしてＡＴＭネットワーク要素は、機能側送信集中サブレイヤエンティティと、保護側送信集中サブレイヤエンティティの両方を経てＡＴＭネットワーク要素に入るデータを合体するように構成されたＡＴＭネットワーク要素によって達成される。
【０００５】
又、上記目的は、ＡＴＭネットワークにおける第１のＡＴＭネットワーク要素と第２のＡＴＭネットワーク要素との間で送信集中サブレイヤサブネットワーク接続（ＴＣＳＳＮＣ）を自動保護切り換えする方法であって、各ＡＴＭネットワーク要素は、少なくとも１つの機能側送信集中サブレイヤエンティティを第１の物理的ラインインターフェイスの一部分として含むと共に、少なくとも１つの保護側送信集中サブレイヤエンティティを第２の物理的ラインインターフェイスの一部分として含み、第１及び第２のＡＴＭネットワーク要素の上記機能側送信集中サブレイヤエンティティ及び第１及び第２のＡＴＭネットワーク要素の上記保護側送信集中サブレイヤエンティティは、異なる送信経路を経て独立した送信集中サブレイヤサブネットワーク接続を行うことができ、各送信集中サブレイヤエンティティは、専用のＵＴＯＰＩＡアドレスを経て第１及び第２のＡＴＭネットワーク要素内で各々アドレスすることができ、そして各送信集中サブレイヤエンティティは、送信集中サブレイヤサブネットワーク接続における欠陥を指示するための物理的レイヤエラーメッセージを与え、上記方法は、
−  使用される送信集中サブレイヤサブネットワーク接続における欠陥がその与えられた物理的レイヤエラーメッセージにより指示されない限り、
ａ）ソースポイントとして使用される第１のＡＴＭネットワーク要素からのデータを、指定のＵＴＯＰＩＡアドレスにより選択された機能側対応送信集中サブレイヤエンティティを経て送信し、そして
−  使用される送信集中サブレイヤサブネットワーク接続における欠陥を指示する物理的レイヤエラーメッセージが、第２のＡＴＭネットワーク要素の機能側送信集中サブレイヤエンティティにより与えられる場合には、
ｂ）第１のＡＴＭネットワーク要素に欠陥メッセージを送信し、
ｃ）第１のＡＴＭネットワーク要素における送信集中サブレイヤエンティティへ送信されるべきＡＴＭセルをアドレスするのに使用されるＵＴＯＰＩＡアドレスを、機能側送信集中サブレイヤエンティティに指定されたＵＴＯＰＩＡアドレスから、保護側送信集中サブレイヤエンティティに指定されたＵＴＯＰＩＡアドレスへと切り換え、
ｄ）第１のＡＴＭネットワーク要素から、指定のＵＴＯＰＩＡアドレスにより選択された対応する保護側送信集中サブレイヤエンティティを経てＡＴＭセルを送信し、そして
−  第１のＡＴＭネットワーク要素における送信に、機能側送信集中サブレイヤエンティティが使用されるか、保護側送信集中サブレイヤエンティティが使用されるかに関わりなく、
ｅ）シンクとして使用される第２のＡＴＭネットワーク要素の機能側送信集中サブレイヤエンティティ及び保護側送信集中サブレイヤエンティティを経て受け取った全てのデータを合体するという段階を備えた方法によって達成される。
【０００６】
本発明は、ＡＴＭネットワークにおいて、一般に、ＡＴＭネットワーク要素がＵＴＯＰＩＡアドレスを使用して、独立した物理的レイヤを識別し、ひいては、ＡＴＭレイヤにサービスを与えるサービスアクセスポイント又は送信集中サブレイヤエンティティを識別することから進められる。更に、本発明は、ＡＴＭプロトコルスタックの物理的レイヤ内の送信集中サブレイヤが、ＳＤＨ及び／又はＰＤＨ搬送ネットワークの高次送信経路の拡張であるアラーム及び監視機能を与えるという利点を利用する。これらのアラーム及び監視機能は、異なるオペレーション及びメンテナンス（ＯＡＭ）のフロー（Ｆ１‐Ｆ６）を規定したＩＴＵ‐Ｔ推奨勧告Ｉ.６１０によって標準化されている。物理的レイヤは、３つの最低のＯＡＭレベルを含み、ＯＡＭフローＦ３は、送信経路レベルに割り当てられる。
【０００７】
本発明によるＡＴＭネットワーク要素及び方法は、これらの機能を使用して、ＡＴＭセル送信のためにＡＴＭネットワーク要素内でＵＴＯＰＩＡアドレスの切り換えを行うことによりＡＴＭネットワーク要素の送信集中サブレイヤにおける保護機構動作をトリガーする。それ故、内部のＵＴＯＰＩＡアドレスは、機能側送信集中サブレイヤエンティティから、与えられた保護側送信集中サブレイヤエンティティへと迅速に切り換わるように処理される。この機構は、保護側物理的ラインインターフェイスを、機能側物理的ラインインターフェイスに関連させ、送信集中サブレイヤサブネットワーク接続保護を固有又は非侵襲的監視（ＴＣＳＳＮＣ／Ｉ又はＴＣＳＳＮＣ／Ｎ）で実行することができる。
【０００８】
本発明のＡＴＭネットワーク要素及び方法の効果は、故障が報告された場合にトラフィックのソース点においてＵＴＯＰＩＡアドレスを切り換えるだけでよいので、保護機構が非常に短い回復時間を与えられることである。ソースポイント又はシンクポイントのいずれにおいても、ＡＴＭレイヤにオペレーションは必要とされない。
この切り換え機能は、標準的なアラーム、特に、Ｆ３のＯＡＭフローにおける標準的アラームが検出されることによりトリガーされる。特別な自動保護切り換えプロトコルは必要とされない。
【０００９】
更に別の効果として、本発明による保護機構は、付加的なＰＤＨ又はＳＤＨ送信装置を使用する必要なくＡＴＭネットワークにおいて実施するのに適した送信集中サブレイヤ機能の使用をベースとしている。
ここに提案する保護機構は、高次経路サブネットワーク接続保護の拡張と考えることができ、この保護機構をＡＴＭネットワークにおいて実施するのは簡単である。
ＡＴＭネットワーク要素のシンクポイントで行なわれる提案された合体は、通常のオペレーション中に、保護側送信集中サブレイヤサブネットワーク接続によりＡＴＭレイヤにセルが送信されず、且つその基礎となる物理的ラインが故障したときに、機能側送信集中サブレイヤサブネットワーク接続によりＡＴＭレイヤにセルが送信されないことから可能となる。
【００１０】
エラーメッセージを受信した場合にソースポイントで行なわれる提案された切り換え、及びシンクポイントで行なわれる合体は、有効な保護に対して２つの異なるＴＳＣ  ＳＮＣを経て行うデータの永久的な送信を過剰なものとする。
二重端の切り換えを使用するのが効果的である。両送信方向は、単に一方向の欠陥又は信号質低下状態の後であっても、機能側送信集中サブレイヤエンティティから保護側送信集中サブレイヤエンティティへと切り換えられる。切り換えの整合は、ＯＡＭ  Ｆ３フローの使用に基づくもので、ＡＰＳプロトコルを使用しない。
送信集中サブレイヤ機能は、ＡＴＭネットワーク要素の全形式の物理的ラインインターフェイスにおいて実施されるので、ＴＣＳ  ＳＮＣプロトコル機構は、全ての形式の物理的ラインインターフェイス、特にＳＤＨ又はＰＤＨに適用することができ、これは、ＡＴＭの逆マルチプレクシング（ＩＭＡ）がＰＤＨリンク上で使用される場合も含む。
【００１１】
好ましい実施形態では、ＴＣＳ  ＳＮＣ機構の特徴は、送信集中サブレイヤのスパンに合致する仮想経路接続を保護するように拡張される。これは、ＴＣＳ  ＳＮＣと同じアクセスポイントに終端する保護側仮想経路接続を、機能側送信集中サブレイヤに関連させることにより行なわれる。これは、ＴＣＳ  ＳＮＣ保護切り換え機構が、隣接するＡＴＭネットワーク要素間に確立された仮想経路接続を保護できることを意味する。リングトポロジーにおいては、保護仮想経路は、中間のＡＴＭネットワーク要素を含む。機能及び保護側仮想経路接続は、シンク終端ポイントに合体機能を含まねばならない。保護側仮想経路接続は、管理平面により機能側仮想経路接続と同時に設定される。
【００１２】
仮想回路接続も等しく保護できる。本発明の方法については復帰型のオペレーションが選択されるのが好ましい。これは、欠陥又は信号質低下状態から回復したときに、保護側送信集中サブレイヤエンティティにおけるトラフィックが、機能側送信集中サブレイヤエンティティへ戻るように切り換えられねばならないことを意味する。この特徴は、送信集中サブレイヤのスパンに合致する仮想経路接続（隣接するＡＴＭネットワーク要素内の仮想経路接続）を保護できねばならないことを必要とする。
【００１３】
復帰型オペレーションを可能にするために、回復待機状態を設定する機能が設けられる。この状態においては、機能側送信集中サブネットワーク接続が、欠陥又は信号質低下状態の後に回復スレッシュホールドを満足する。それ故、機能側トラフィックの搬送が、保護側送信集中サブネットワーク接続から、機能側送信集中サブネットワーク接続へ復帰する準備ができたことを指示する。
本発明のＡＴＭネットワーク要素及び方法は、異種の物理的ラインインターフェイスを関連させて、ポイント／ポイント接続及びループネットワーク計画に対する保護を与えることができる。保護機構は、シンクポイントにおいて合体するので、リングのような更に複雑なネットワーク計画にも適用できる。
本発明によるＡＴＭネットワーク要素及び方法は、第３世代のネットワークであるＷＣＤＭＡ（ワイドバンドコード分割多重アクセス）の範囲で使用するように特に意図されたものである。
更に別の効果的な実施形態は、従属請求項から明らかとなろう。
【００１４】
【発明の実施の形態】
以下、添付図面を参照して、本発明の好ましい実施形態を詳細に説明する。
図１及び２は、ＡＴＭネットワークの一部分を概略的に示す図である。図示されたネットワーク部分は、本発明による２つのＡＴＭネットワーク要素部分ＡＴＭ  ＮＥ１及びＡＴＭ  ＮＥ２を含み、これらは、機能送信経路及び保護送信経路によって相互接続される。両ＡＴＭネットワーク要素ＡＴＭ  ＮＥ１、ＡＴＭＮＥ２は、機能側送信集中（コンバージェンス）サブレイヤエンティティＴＣＳ−Ｗを第１の物理的ラインインターフェイス（ＰＨＹ）の一部分として含むと共に、保護側送信集中サブレイヤエンティティＴＣＳ−Ｐを第２の物理的ラインインターフェイスの一部分として含み、これは、異なる送信経路へのアクセスを与える。機能側送信集中サブレイヤエンティティＴＣＳ−Ｗ及び保護側送信集中サブレイヤエンティティＴＣＳ−Ｐは、それらのＡＴＭネットワーク要素ＡＴＭ  ＮＥ１及びＡＴＭ  ＮＥ２内でＵＴＯＰＩＡインターフェイスを経てアクセスされ、仮想経路ＶＰ−１及びＶＰ−２接続を確立する。この例では、各仮想経路ＶＰ−１及びＶＰ−２接続は、２つの仮想回路ＶＣ−１及びＶＣ−２接続をサポートする。
【００１５】
機能側送信集中サブレイヤエンティティＴＣＳ−Ｗは、各ＡＴＭネットワーク要素ＡＴＭ  ＮＥ１、ＮＥ２内で第１のＵＴＯＰＩＡアドレスＵＡ１を経てアドレスすることができ、そして保護側送信集中サブレイヤエンティティＴＣＳ−Ｐは、各ＡＴＭネットワーク要素ＡＴＭ  ＮＥ１、ＮＥ２内で第２のＵＴＯＰＩＡアドレスＵＡ２を経てアドレスすることができる。ＡＴＭネットワーク要素ＡＴＭ  ＮＥ１、ＡＴＭ  ＮＥ２間の送信は、両方向であると仮定するが、一方向の送信のみについて説明する。即ち、第１のＡＴＭネットワーク要素ＡＴＭ  ＮＥ１は、ソースポイントとしてのみ示され、そして第２のＡＴＭネットワーク要素ＡＴＭ  ＮＥ２は、シンクポイントとしてのみ示され、即ち、送信は第１のＡＴＭネットワーク要素から第２のＡＴＭネットワーク要素への方向に行なわれる。
【００１６】
図１は、２つのＡＴＭネットワーク要素ＡＴＭ  ＮＥ１とＡＴＭ  ＮＥ２との間の送信集中サブレイヤサブネットワーク接続（ＴＣＳ  ＳＮＣ）における欠陥のない状態を示している。
ソースポイント、ここではＡＴＭネットワーク要素ＮＥ１において、仮想接続から到来する全てのトラフィックは、専用の第１のＵＴＯＰＩＡアドレスＵＡ１を選択することにより、機能側送信集中サブレイヤエンティティＴＣＳ−Ｗに送られる。保護される送信集中サブレイヤエンティティＴＣＳ−Ｐは、アイドル状態のままである。
【００１７】
従って、トラフィックは、機能側送信集中サブレイヤサブネットワーク接続を経て第１のＡＴＭネットワーク要素ＡＴＭ  ＮＥ１の機能側送信集中サブレイヤエンティティＴＣＳ−Ｗから第２のＡＴＭネットワーク要素ＡＴＭ  ＮＥ２の機能側送信集中サブレイヤエンティティＴＣＳ−Ｗへ送信されるだけである。機能側送信経路は、２つの仮想回路接続ＶＰ−１（ＶＣ−１、ＶＣ−２）を合成する第１の仮想経路接続のトラフィックと、これも２つの仮想回路接続ＶＰ−２（ＶＣ−１、ＶＣ−２）を合成する第２の仮想経路接続のトラフィックを搬送する。
【００１８】
シンクポイント、ここではＡＴＭネットワーク要素ＡＴＭ  ＮＥ−２では、第２のＡＴＭネットワーク要素ＮＥ−２の物理的ラインインターフェイスの機能側送信集中サブレイヤエンティティＴＣＳ−Ｗ及び保護側送信集中サブレイヤエンティティＴＣＳ−Ｐを経て入力する全トラフィックが単一のフローへと合体される。この合体は、機能側送信集中サブレイヤエンティティＴＣＳ−Ｗから到来する仮想接続を保護側送信集中サブレイヤエンティティＴＣＳ‐Ｐから到来するものと区別できないことを意味する。合体ポイントは、実際には、多ポイント−ポイント特性を有する。
【００１９】
図２は、図１とは対照的に、送信集中サブレイヤサブネットワーク接続において欠陥が検出された状態を示す。
図２に示すように、欠陥は、機能側送信経路のある場所で発生する。
ソースポイントでは、仮想接続の全てのトラフィックが、今度は、専用の第２のＵＴＯＰＩＡアドレスＵＡ２を選択することにより、機能側送信集中サブレイヤエンティティＴＣＳ−Ｗではなく、保護側送信集中サブレイヤエンティティＴＣＳ−Ｐへ送られる。従って、今度は、保護側送信経路が、機能側送信経路によりそれまで搬送された全てのトラフィックＶＰ−１（ＶＣ−１、ＶＣ−２）及びＶＰ−２（ＶＣ−１、ＶＣ−２）を搬送する。
【００２０】
合体を行うので、欠陥状態においてシンクポイントの構成を変更する必要はない。トラフィックが保護側送信経路へ再ルート指定されるや否や、再びシンクポイントにおいて自動的に得られることになる。
この保護機構に伴う回復時間は非常に短い。というのは、ソースポイントにおいてＵＴＯＰＩＡアドレスを変更するだけでよいからである。この変更により、全ての影響される仮想経路接続及び全ての仮想回路接続が直ちに回復される。
図１に示す状態から図２に示す状態へ移行するための保護手順は、図３ａ）及び３ｂ）を参照し、両方向性送信に対して以下に説明する。
【００２１】
図３ａ）及び３ｂ）は、機能側送信集中サブレイヤサブネットワーク接続ＴＣＳ  ＳＮＣ及び保護側送信集中サブレイヤサブネットワーク接続ＴＣＳ  ＳＮＣを経て接続された第１及び第２のＡＴＭネットワーク要素ＡＴＭ  ＮＥ−１、ＡＴＭ  ＮＥ−２を示す。送信方向に、第１及び第２のＡＴＭネットワーク要素ＡＴＭ  ＮＥ−１、ＡＴＭ  ＮＥ−２において対応するＵＴＯＰＩＡアドレスにより機能側又は保護側のＴＣＳ  ＳＮＣを選択することができる。
図３ａ）は、通常のオペレーション中の両方向送信を示す。両ＡＴＭネットワーク要素ＡＴＭ  ＮＥ−１、ＡＴＭ  ＮＥ−２は、それらのソース機能において、図の下部に示された機能側ＴＣＳ  ＳＮＣのみを経て送信する。両ＡＴＭネットワーク要素ＡＴＭ  ＮＥ−１、ＡＴＭ  ＮＥ−２は、それらのシンク機能において、機能側及び保護側ＴＣＳ  ＳＮＣを経て受け取ったデータを合体するが、このときには、保護側送信経路からデータが到来しない。
【００２２】
図３ｂ）では、第２のＡＴＭネットワーク要素ＡＴＭ  ＮＥ−２においてシンクポイントとしてのその機能に関して欠陥が検出され、ＩＴＵ−Ｔ推奨勧告Ｉ．６１０に基づきＦ３のＯＡＭレベルでＰ−ＡＩＳ検出指示又は他のアラーム、例えば、セル輪郭のロス（ＬＯＣＤ）、ＬＯＰ等が発生される。ＴＣＳシンクポイントに向かう送信経路ＡＩＳでは、再生セクション、マルチプレクスセクション又は送信経路レベルにおいて観察される欠陥から欠陥指示が生じる。
Ｐ−ＡＩＳ及び／又はＬＯＣＤ、ＬＯＰ等の信号の結果として、ＩＴＵ−Ｔ推奨勧告Ｉ．６１０によりＦ３  ＯＡＭレベルで経路遠隔欠陥指示（Ｐ−ＲＤＩ）が発生され、そして第１のＡＴＭネットワーク要素ＡＴＭ  ＮＥ１へ返送される（Ａ）。
【００２３】
更に、ソースポイントとしてのＡＴＭネットワーク要素ＮＥ−２は、逆の送信方向として保護側ＴＣＳ  ＳＮＣへ切り換わる（Ｂ）。
Ｐ−ＲＤＩ信号が検出されると、第１のＡＴＭネットワーク要素ＡＴＭ  ＮＥ１も、欠陥の方向において保護側ＴＣＳ  ＳＮＣへ切り換わる（Ｃ）。
ここで、両ＡＴＭネットワーク要素ＡＴＭ  ＮＥ１、ＡＴＭ  ＮＥ２は、保護側ＴＣＳ  ＳＮＣを経て送信する。
【００２４】
ここに示すＴＣＳ  ＳＮＣ保護機構は、両方向性であり、即ち二重端切り換えを含む。両端における保護切り換えの整合は、欠陥管理ＯＡＭプロトコルによりＦ３レベルで行なわれ、これは、到来信号における信号欠陥を指示するためのＰ−ＡＩＳ、ＬＯＣＤ又はＬＯＰと、遠隔端により報告される信号欠陥を指示するＰ−ＲＤＩとを使用する。二重端切り換え特徴は、欠陥が両送信方向に影響するときでも保護切り換えが行なわれるよう確保するために必要とされる。この場合に、両送信集中サブレイヤ端は、送信集中サブレイヤ端の一方についてＰ−ＲＤＩではなくＰ−ＡＩＳ、ＬＯＣＤ及び／又はＬＯＰを検出し、そしてその他方についてＰ−ＡＩＳ、ＬＯＣＤ及び／又はＬＯＰを検出する。
【００２５】
このため、機能側送信集中サブレイヤエンティティは、到来信号の信号欠陥が検出されたとき（Ｐ−ＡＩＳ、ＬＯＣＤ及び／又はＬＯＰ）、或いは信号欠陥の検出が遠隔端により報告されたときに（Ｐ−ＲＤＩ）、保護側送信集中サブレイヤエンティティに切り換わる。
ＯＡＭ  Ｆ３フロー欠陥信号を招くＴＣＳ  ＳＮＣの欠陥は、信号のロス、フレームのロス、又はセル輪郭のロスである。
本発明による保護機構の更に複雑な使用例が、無線アクセスネットワーク（ＲＡＮ）におけるリングトポロジーを示した図４ないし８に示されている。
【００２６】
リングは、送信経路により接続された４つのＡＴＭネットワーク要素ＮＥ−１、ＮＥ−２、ＮＥ−３、ＮＥ−４で形成される。各ネットワーク要素は、２つの送信集中サブレイヤエンティティＴＣＳ−１、ＴＣＳ−２を含み、その各々は、２つの関連する物理的送信経路の１つへアクセスすることができる。各ネットワーク要素内で、送信集中サブレイヤエンティティＴＣＳ−１、ＴＣＳ−２は、ＵＴＯＰＩＡインターフェイスを経て３つの仮想経路ＶＰ−１、ＶＰ−２、ＶＰ−３エンティティに接続される。ネットワーク要素ＮＥ−１、ＮＥ−２、ＮＥ−３は、仮想経路送信制御プロトコルＶＰ  ＴＣＰを経て３つのベースステーションへのアクセスを与え、そしてネットワーク要素ＮＥ−４は、ＲＮＣへのサービスを与える。
【００２７】
図４及び５は、通常のオペレーション中の仮想経路接続を示し、この場合に、それら接続はＴＣＳ  ＳＮＣに一致する。明瞭化のために、送信方向は、２つの図に分離して示されている。
この例は、第３世代ネットワーク（ＴＧＮ）に対する無線アクセスネットワーク（ＲＡＮ）のＡＴＭネットワーク特徴を示している。仮想経路接続ＶＰＣは、隣接するＡＴＭネットワーク要素を相互接続する。より詳細には、ＶＰ−１は、ネットワーク要素ＮＥ−１及びＮＥ−４を相互接続し、ＶＰ−２は、ネットワーク要素ＮＥ−２及びＮＥ−３を相互接続し、ＶＰ−３は、ネットワーク要素ＮＥ−３及びＮＥ−４を相互接続する。仮想回路接続ＶＣＣは、各ベースステーションをＲＮＣに端−端接続する。このため、ＡＴＭネットワーク要素ＮＥ−３は、仮想回路試行終端ポイントＶＣ  ＴＴＰを実施し、仮想経路ＶＰ−２から抽出される仮想回路接続を仮想経路ＶＰ−３へ搬送する。
【００２８】
本発明による自動切り換え機構を可能にするために、各機能側仮想経路接続に対して保護側仮想経路接続が定義される。機能側仮想経路Ｗ−ＶＰ−１、Ｗ−ＶＰ−２、Ｗ−ＶＰ−３及びそれに対応する保護側仮想経路Ｐ−ＶＰ−１、Ｐ−ＶＰ−２、Ｐ−ＶＰ−３が、３つの例示的な仮想経路ＶＰ−１、ＶＰ−２、ＶＰ−３接続として図６ａ）、６ｂ）、６ｃ）に概略的に示されている。
機能側仮想経路接続とは異なり、保護側仮想経路接続は、隣接するＡＴＭネットワーク要素を相互接続しない。これは、復帰保護特徴の使用を意味する重要な相違である。多数のＴＣＳ ＳＮＣより成る保護経路を与えるために、各ＡＴＭネットワーク要素ＮＥ−１、ＮＥ−２、ＮＥ−３、ＮＥ−４は、各トラフィックを次のＡＴＭネットワーク要素ＮＥ−１、ＮＥ−２、ＮＥ−３、ＮＥ−４へ送るときに通る仮想経路クロス接続（ＶＰ  ＴＴＰ）を実施しなければならない。保護仮想経路接続は、通常の状態のもとではトラフィックを搬送しない。しかしながら、それらは、ＴＣＳ  ＳＮＣ保護機構の適切なオペレーションを保証するためには、機能側仮想経路接続と同時に設定されねばならない。
【００２９】
各ＡＴＭネットワーク要素ＮＥ−１、ＮＥ−２、ＮＥ−３、ＮＥ−４では、各ＡＴＭネットワーク要素のシンクポイントである機能側仮想経路接続及び保護側仮想経路接続から到来するデータが合体される。例えば、データをＲＮＣに供給するために、ＡＴＭネットワーク要素ＮＥ−４では、送信集中サブレイヤエンティティＴＣＳ−１及び送信集中サブレイヤエンティティＴＣＳ−２を経て送られて来る仮想経路ＶＰ−１データが合体されると共に、送信集中サブレイヤエンティティＴＣＳ−１及び送信集中サブレイヤエンティティＴＣＳ−２を経て送られて来る仮想経路ＶＰ−３データが合体される。
【００３０】
図７及び８は、図４及び５のリング構造を示すが、ＡＴＭネットワーク要素ＮＥ−１からＡＴＭネットワーク要素ＮＥ−４への送信経路に欠陥があって機能側仮想経路ＶＰ−１に影響を及ぼすような状態を示す。保護送信経路への切り換えは、ポイント−ポイント接続に関して述べたように行なわれる。
信号欠陥の信号Ｐ−ＡＩＳ及び遠隔欠陥指示（Ｐ−ＲＤＩ）信号は、ＩＴＵ−Ｔ推奨勧告Ｉ．６１０に基づきＦ３  ＯＡＭレベルで発生される（Ａ）。
【００３１】
Ｐ−ＲＤＩ信号を検出した際に、ＡＴＭネットワーク要素ＮＥ−１は、ＵＴＯＰＩＡアドレスを変更することにより、ソースポイントとして、保護側送信集中サブレイヤエンティティＴＣＳ−１へ切り換わる（Ｃ）。これによりＡＴＭネットワーク要素ＮＥ−１からＲＮＣへと生じる保護仮想経路ＶＰ−１が図７に示されており、即ちベースステーションから仮想経路送信制御プロトコルＶＰ−１  ＴＣＰを経てＡＴＭネットワーク要素ＮＥ−１に入るトラフィックは、ＡＴＭネットワーク要素ＮＥ−１のＴＣＳ−１へ通され、更に、ＡＴＭネットワーク要素ＮＥ−２のＴＣＳ−２、ＶＰ−１  ＴＴＰ及びＴＣＳ−１へ通され、更に、ＡＴＭネットワーク要素ＮＥ−３のＴＣＳ−２、ＶＰ−１  ＴＴＰ及びＴＣＳ−１へ通され、更に、ＡＴＭネットワーク要素ＮＥ−４のＴＣＳ−２へ通され、そして最終的に、ＡＴＭネットワーク要素ＮＥ−４の仮想経路送信制御プロトコルＶＰ−１  ＴＣＰを経てＲＮＣへ通される。ＡＴＭネットワーク要素ＮＥ−２からＡＴＭネットワーク要素ＮＥ−３へのＴＣＳ  ＳＮＣは、機能側仮想経路ＶＰ−２と共通に使用され、そしてＡＴＭネットワーク要素ＮＥ−３からＡＴＭネットワーク要素ＮＥ−４へのＴＣＳ  ＳＮＣは、機能側仮想経路ＶＰ−３と共通に使用される。
【００３２】
ＡＴＭネットワーク要素ＮＥ−２及びＮＥ−３内では、仮想経路クロス接続ＶＰ−１  ＴＴＰが、各保護側送信集中サブレイヤエンティティＴＣＳ−１へのデータ転送を与える。
発生されたＰ−ＡＩＳ信号は、ＡＴＭネットワーク要素ＮＥ−４を保護側送信集中サブレイヤエンティティＴＣＳ−２へ切り換えさせる（Ｂ）。それにより、ＲＮＣからＡＴＭネットワーク要素ＮＥ−１へと生じる保護仮想経路ＶＰ−１が図８に示されている。
【００３３】
図７及び８の構成された保護仮想経路ＶＰ−１は、図６ａ）の保護仮想経路Ｐ−ＶＰ−１に対応する。
シンクポイントとしてのＡＴＭネットワーク要素ＮＥ−１及びＮＥ−４は、各々、ソースポイントとしてのＡＴＭネットワーク要素ＮＥ−４及びＮＥ−１により送信集中サブレイヤエンティティの切り換え直後に保護仮想経路ＶＰ−１からトラフィックを受け取る。というのは、各送信集中サブレイヤエンティティＴＣＳ−１、ＴＣＳ−２を経て受け取られるトラフィックが連続的に合体されるからである。
【図面の簡単な説明】
【図１】通常のオペレーション中の１＋１計画を示す図である。
【図２】欠陥が生じたときの１＋１計画を示す図である。
【図３ａ】１＋１計画における保護手順を示す図である。
【図３ｂ】１＋１計画における保護手順を示す図である。
【図４】通常のオペレーション中にリングを経て第１の方向にＡＴＭ仮想接続を搬送するところを示す図である。
【図５】通常のオペレーション中にリングを経て第２の方向にＡＴＭ仮想接続を搬送するところを示す図である。
【図６ａ】欠陥が生じた場合に図４及び５の接続に対する別の搬送ルートを示した図である。
【図６ｂ】欠陥が生じた場合に図４及び５の接続に対する別の搬送ルートを示した図である。
【図６ｃ】欠陥が生じた場合に図４及び５の接続に対する別の搬送ルートを示した図である。
【図７】図４の通常のオペレーションに対応し、欠陥状態においてリングを経てＡＴＭ仮想接続を搬送する例を示す図である。
【図８】図５の通常のオペレーションに対応し、欠陥状態においてリングを経てＡＴＭ仮想接続を搬送する例を示す図である。
【符号の説明】
ＡＴＭ  ＮＥ１、ＡＴＭ  ＮＥ２  ＡＴＭネットワーク要素
ＴＣＳ−Ｗ  機能側送信集中サブレイヤエンティティ
ＴＣＰ−Ｐ  保護側送信集中サブレイヤエンティティ
ＶＰ−１、ＶＰ−２  仮想経路
ＶＣ−１、ＶＣ−２  仮想回路
ＵＡ１、ＵＡ２  ＵＴＯＰＩＡアドレス
ＴＣＳ  ＳＮＣ  送信集中サブレイヤサブネットワーク接続
【図１】
0004002384.tif 000002
【図２】
0004002384.tif 000003
【図３ａ】
0004002384.tif 000004
【図３ｂ】
0004002384.tif 000005
【図４】
0004002384.tif 000006
【図５】
0004002384.tif 000007
【図６ａ】
0004002384.tif 000008
【図６ｂ】
0004002384.tif 000009
【図６ｃ】
0004002384.tif 000010
【図７】
0004002384.tif 000011
【図８】
0004002384.tif 000012